【事件の表示】
　上記当事者間の登録第４１９２９１５号商標の登録取消審判事件について、次のとおり審決する。
【結　論】
　本件審判の請求は、成り立たない。
　審判費用は、請求人の負担とする。
【理　由】
第１　本件商標
　本件登録第４１９２９１５号商標（以下「本件商標」という。）は、「北の大地」の文字を縦書きしてなり、第３０類「米」を指定商品として、平成８年１０月２２日に登録出願、同１０年１０月２日に設定登録され、現に有効に存続しているものである。
　
第２　請求人の主張
　請求人は、「本件商標の登録は、商標法第５０条第１項の規定により、これを取り消す。審判費用は被請求人の負担とする。」との審決を求めると申し立て、その理由及び答弁に対する弁駁を要旨次のとおり述べ、証拠方法として、甲第１号証ないし甲第４号証並びに本件商標の登録原簿及び公報を提出した。
１　請求の理由
　被請求人は、本件商標をその指定商品である「米」について、日本国内において継続して３年以上、使用していない。したがって、本件商標は、商標法第５０条第１項の規定により、その登録を取り消されるべきである。
２　答弁に対する弁駁
（１）乙号証について
　（a）被請求人が、乙第１号証（米の袋）を現在まで使用していることの客観的証拠はどこにもない。
　（b）乙第２号証（納品書）の日付は、平成１５年４月１８日付であり、本件審判請求の登録日である平成１５年５月７日より、わずか１８日前のものである。
　そして、その納品があったことと、商標を指定商品に使用していることとは別の問題である。米の袋が４月１８日に納品されても、その使用は、本件審判の請求の登録日後である可能性を否定できない。したがって、この納品書自体が使用証明とはなり得ない。
　（c）乙第３号証は、その日付を全く特定できないとともに、これがどこにどのように使用されたかも不明である。
　（d）乙第４号証は、４月２５日（金）から同月２７日（日）までの春の謝恩祭を「北の大地」で行うことを示したちらしのようであるが、これによっても「北の大地」が指定商品について使用された事実は見当たらない。
　指定商品につき記載された商標は、「あきた小町」と「ひとめぼれ」と「ミルキークイーン」のみであって、「北の大地」は、「山形のアンテナショップ店頭精米の店」と記載された位置にあり、屋号を表示するにすぎない。すなわち、いわゆる「米屋」の表示であって、店頭で各種ブランドの米を精米する旨を記載しているにすぎず、米のブランドである旨の証拠とはならない。
　また、乙第４号証には、蜂蜜、ラーメン、おにぎり、ソフトクリーム等を販売していることが記載され、このことは、「北の大地」が店の屋号を表す証拠となるものである。
　（e）乙第５号証は、９月２１日（金）から９月２２日（土）まで新米の大売出しのちらしのようであるが、米につき、表示された商標は、「なはの舞」、「あきた小町」、「里のうた」、「ひとめぼれ」、「はえぬき」、「ささにしき」、「こしひかり」及び「神室」であって、「北の大地」は使用されていない。
　仮に「北の大地」が米のブランドあれば、当然にこの中に列記されるはずである。
　しかも、上記のうち、「神室」は、本件商標権者の登録商標であり、現実にこのブランド米は使用されている（甲第１号証）。「北の大地」の米も同様に存在していれば、当然にこの「神室」に並列して表示されているべきである。
　また、乙第５号証の左下の「北の大地」の表示は、山形アンテナショップとしての屋号表示であり、山形の産物である米以外の味噌・漬物・ジュース・お菓子等を同時に発売していることが記載されている。したがって、「北の大地」が米のブランドである証拠はどこにも存在しない。
　（f）乙第６号証は、原料玄米が「ひとめぼれ」であり、「北の大地」を表示した米袋と思われる写真であり、その撮影月日は平成１５年２月６日、撮影者は「農事組合法人　山形リーダーズファーム内　鈴木隆一」と記載されているが、上記鈴木隆一氏は、山形リーダーズファームの代表者であり（甲第２号証）、撮影年月日は、この代表者の自己申告であるから、使用事実の日付の客観的な証拠にはなり得ない。
　（g）乙第７号証には、本件商標権者の商標「神室」の表示があることは認める。しかしながら、「北の大地・あじさいの里」は、商標「神室」に添えられたキャッチフーズ的な表現であり、「北の大地・あじさいの里」の地で「神室」が生産された程度の認識が生じるにすぎない。
　また、袋の下端に記載の「北の大地　登録商標　第４１９２９１５号」は、他の２つの登録商標と一緒に併記され、「山形リーダーズファーム」が３つの登録商標を持っていることを誇示するにすぎず、指定商品に「北の大地」を使用したものではない。
　（h）乙第８、９号証は、「山形県のアンテナショップ　北の大地」ののれん又は看板であり、店の屋号を示しているにすぎない。需要者又は取引者が、米のブランド名であると認識し得ない。
　（i）乙第１０号証は、９月２１日（金）から９月２３日（日）までの新米の大売出しのちらしであり、「はなの舞」、「あきた小町」、「里のうた」、「ひとめぼれ」、「はえぬき」、「されにしき」、「こしひかり」及び「神室」が記載されているが、「北の大地」の記載はない。
　また、乙第１０号証は、乙第４、５号証と同様、「北の大地」米が存在しないことを間接的に証明しているものである。すなわち、この時点で、「北の大地」米が発売されていれば、本商標権者のブランド米「禅室」に並んで記載されているはずである。したがって、「北の大地」米は、この売出し時点で存在しないことを意味する。
（２）商標使用状況の調査
　（a）甲第１及び２号証は、被請求人のホームページである。甲第２号証に記載された電話番号をもとに電話による調査によると、「神室」のブランド米は存在する旨の応答があったが、「北の大地」のブランド米は存在しない旨の応答があった。自社ブランド米は、「神室」一つだけである旨の回答を得た。
　（b）現地調査によると、「山形アンテナショップ　北の大地」（乙第５号証：高島平団地、平成１５年６月２１日調査）は、乙第８号証の写真に示されたとおりの店であるが、甲第３号証（Ａ）ないし（Ｃ）のように、各ブランド米の値段表、値段表が掲示されていたが、「北の大地」米は存在しなかった。
　但し、乙第１号証の「北の大地」の袋が、その四周をテープで貼り付けて壁に表示されていたが、「北の大地」にだけは、値段がなかった。店員に、該「北の大地」について尋ねたところ、「お店の名前ですよ」とのことだった。
　また、「山形のアンテナショップ　店頭精米の店　北の大地」（乙第４号証：春日部市、平成１５年６月２２日調査）は、乙第９号証及び甲第４号証（Ａ）に示された所であるが、甲第４号証（Ａ）及び（Ｂ）のように、米の銘柄である「あきた小町・はえぬき・ひとめぼれ・ささにしき・こしひかり・神室」の各表示と値段が表示されていたが、「北の大地」米は存在しなかった。
　（c）以上の調査結果から明らかなように、「北の大地」のブランド米が存在する事実は、見つけることができなかった。
　
第３　被請求人の答弁
　被請求人は、結論同旨の審決を求めると答弁し、その理由及び審尋に対する回答を要旨次のように述べ、証拠方法として、乙第１号証ないし乙第３９号証を提出した。
１　使用の事実
（１）被請求人は、米の袋本体に「北の大地」を使用して、米を販売している（乙第１号証）。（新米、山形アンテナショップ、コシヒカリの部分は袋本体の印刷後にシールを貼ったものである。）
　上記米の袋は、逐次補充されるもので、平成１５年（２００３年）４月１８日に、株式会社熊谷より被請求人（商標権者）に１８６０枚納品された（乙第２号証）が、継続に発注している（乙第１４号証ないし乙第２１号証）。
　「山形アンテナショップ　北の大地」は、被請求人が経営するものである（乙第１１号証ないし乙第１３号証）。
（２）乙第４号証は、平成１５年４月に、乙第５、１０号証は、平成１３年９月に発行したちらしで、「北の大地」を店名としたものを、また、乙第８、９号証は、店名を「北の大地」としたものを撮影したものであり、「北の大地」ブランド米を販売している。これら店名の販売場所では、米の包装袋に「北の大地」の商標を使用した米を販売している（乙第６、７号証）。
（３）乙第６号証に示した米を購入した顧客の証明書とそのときに発行した伝票により、本件商標の使用の事実は明らかである。
２　以上のとおり、本件商標は、本件審判請求の登録前３年以内に日本国内において、商標権者により、その請求に係る指定商品について使用されているものであるから、本件商標の登録は、商標法第５０条第１項の規定により取り消されるべきではない。
　
第４　当審の判断
１　乙第１号証、乙第２号証、乙第６号証、乙第８号証、乙第９号証、乙第１１号証ないし乙第３０号証並びに甲第３号証及び甲第４号証によれば、以下の事実を認めることができる。
（１）農事組合法人山形リーダーズファームの代表であった田宮俊夫は、平成９年８月３１日に、山形県尾花沢市所在の橋本良一との間で、埼玉県春日部市大字大枝８９武里団地７〜２〜１０５北の大地武里団地店（以下「武里団地店」という。）及び東京都板橋区高島平高島平団地店２〜２８〜１〜１１６北の大地高島平団地店（以下「高島平団地店」という。）を店舗所在地とする米穀小売業の営業権を譲り受ける契約を締結した。上記橋本良一は、住宅・都市整備公団の理事との間で、上記の武里団地及び高島平団地の各１戸を、使用開始日を前者は平成８年１０月１２日とし、後者は平成９年９月２７日とする住宅・都市整備公団施設賃貸借契約を締結した（乙第１１号証ないし乙第１３号証）。
（２）上記（１）の武里団地店及び高島平団地店の入り口には、「山形のアンテナショップ　北の大地」の看板が掲げられ（乙第８号証、乙第９号証、甲第３号証及び甲第４号証）、高島平団地店の店内の品書きには、「今後共、『北の大地』を宜しくお願い申し上げます。」と書かれた下に、「平成１３年価格」として「はなの舞、あきた小町、里のうた、ひとめぼれ」などの米の品種名とそれぞれの価格が記載されている（甲第３号証）。
（３）販売者を「農業組合法人　山形リーダーズファーム／山形県新庄市横根山３５−２」とし、中央に大きく「北の大地」の文字を縦書きにして表示し、その下に「山形のアンテナショップ」、「北の大地」の各文字を二段にして表示した米の包装袋（表面）には、「原料玄米」欄に、包装袋に入れる米の品種に対応して、米の品種名を記載したシールを貼付することが認められる。また、該包装袋の裏面の右下には、「Ｎｏ．９０５　空と稲穂」の記載がある（乙第１号証）。
（４）上記（３）の包装袋は、２０００年（平成１２年）５月８日から２００２年（平成１４年）１０月３１日にかけて、及び２００３年（平成１５年）４月１８日に株式会社熊谷（以下「熊谷」という。）から被請求人に納品された（乙第２号証、乙第１４号証ないし乙第２１号証）。
（５）上記包装袋に入れた米（品種名：ひとめぼれ）は、平成１５年１月２４日から同年４月２７日にかけて、武里団地店（山形のアンテナショップ　北の大地）で販売され、その際に、顧客に「精米、配達伝票」が配布された。そして、該「精米、配達伝票」には、「北の大地・取扱品目」の文字とともに、「コシヒカリ・あきた小町・ひとめぼれ」などの米の品種名の記載がある（乙第６号証、乙第２２号証ないし乙第３０号証）。
２　前記１で認定した事実によれば、被請求人は、店舗名を「山形のアンテナショップ　北の大地」とする武里団地店及び高島平団地店において、平成９年ころから主として米穀小売業を営んでおり、その取扱いに係る各種品種の米を包装する袋に「北の大地」の文字を表示していたこと、また、武里団地店及び高島平団地店の入り口に、「山形のアンテナショップ　北の大地」の看板を掲げ、少なくとも高島平団地店の店舗内の品書きにも、米の各種品種名とともに「北の大地」の文字を表示していたこと、被請求人は、本件審判の請求の登録日（平成１５年５月７日）前３年以内に、「北の大地」の文字を表示した米の包装袋を熊谷より納入し、該包装袋に詰めた米を、少なくとも武里団地店において販売し、その際に顧客に、「北の大地・取扱品目」と米の品種名を記載した「精米、配達伝票」を配布したことが認められ、これに反する事実は見あたらない。
　以上によれば、被請求人は、本件審判の請求の登録前３年以内に日本国内において、請求に係る指定商品について、本件商標と社会通念上同一の商標と認められる商標を使用していたと推認することができる。
３　請求人の主張について
（１）請求人は、乙第２号証（納品書）の日付は、本件審判の請求の登録日のわずか１８日前のものであるから、その使用は、本件審判の請求の登録日以降である可能性は否定できないし、納入と本件商標の使用とは別問題であるから、乙第２号証は、使用証明にはならない旨主張する。
　確かに、乙第２号証のみでは、本件審判の請求の登録前３年以内に本件商標がその指定商品について使用されたか否かを明確にすることはできないが、前記１（３）、（４）で認定したとおり、米の包装袋の納入は、本件審判の請求の登録前３年以内である２０００年（平成１２年）５月８日から継続的に行われていたばかりでなく、その包装袋を使用して本件審判の請求の登録前３年以内の期間に、顧客に販売していたと推認し得るところである。
（２）請求人は、乙第６号証（米が包装された状態の写真）の撮影者は、山形リーダーズファームの代表者であるから、撮影年月日は、信憑性がなく、使用事実の日付の客観的な証拠にはなり得ない旨主張する。
　しかし、乙第６号証の撮影年月日が虚偽であるとの明確な証拠は存在しないのみならず、乙第６号証は、「北の大地」の文字を表示した包装袋の使用状態を明らかにしたものとみるべきである。
（３）請求人は、武里団地店及び高島平団地店での調査によれば、米の銘柄の各表示と値段が表示されていたが、「北の大地」米は存在しなかった旨主張する。
　しかしながら、米の包装袋や店舗内の品書きには、米の各種品種名とともに「北の大地」の文字が表示されていた事実は明らかであり、このことからすれば、「北の大地」の表示は、被請求人が取り扱う各種品種の米について、統一的に使用される、いわば代表的出所標識、若しくは被請求人のハウスマーク的機能を果たしているとみるのが相当であるから、「北の大地」の米が存在しないことをもって、「北の大地」の商標が米について使用されていなかったとすることはできない。
（４）したがって、上記（１）ないし（３）の請求人の主張は、いずれも理由がない。
４　以上のとおり、被請求人は、商標権者が本件審判の請求の登録前３年以内に日本国内において、本件商標と社会通念上同一と認められる商標を請求に係る指定商品について使用していたことを証明したと認めることができる。
　したがって、本件商標の登録は、商標法第５０条第１項の規定により、取り消すことはできない。
　よって、結論のとおり審決する。